(57)【要約】      （修正有）【課題】身体不自由な患者さんが安定して座ることができ、滑り落ちる心配のない車椅子を提供する。【解決手段】従来の車椅子に自動車のリクライニングシートを結合する。【選択図】図２
0003102712.tif 000002
【実用新案登録請求の範囲】
【請求項１】
従来の車椅子に自動車のリクライニングシートを結合した。
【考案の詳細な説明】
【発明の詳細な説明】
【技術分野】
【０００１】  本発明は、障害者の介護用具で、体の不自由な方に安らぎのある、車椅子を経済的に負担のかからない、車椅子を提供することを目的に発明した物である。
【背景技術】
【０００２】図面１は従来の車椅子である、符号１は背もたれで垂直である、符号２はただ腰を置くだけを目的に作られた道具で労わりの心がまつたく無い、肢、腰が不自由で歩行が困難な患者さんを運ぶだけを目的に考案製作したもので患者さんの安らぎは考慮されていない。【０００３】従来の車椅子は、腰掛、背もたれは只のビニールのシートで患者さんえの思いやりはまつたくない、ただ機能だけが重視されておるのが従来の車椅子の本意である患者さんえの思いやりに欠けておる。
【考案の開示】
【発明が開決しようとする課題】
【０００４】本発明は患者さん、身体障害の方々に安らぎのある車椅子をお送りすることを目的に発明したもので、従来の車椅子は身体にまだまだ余裕のある方、お年よりなど移動の手段として使う方はまだよいが、最近病院などで重症な患者さんは車椅子の背もたれに紐で縛り付けてあるのを見る、これは患者ではない品物どうぜんの取り扱いであるから人間らしく優しい介護用の車椅子の提供を目的に発明したものである。
【課題を解決するための手段】
【０００５】本発明は患者さんの安らぎのある車椅子を堤供して心から安らいだ日々を送ってもらう為の発明である、現在社会には高額なお金を支払えば豪華なソフアーのような車椅子もあるしかしだれでも手に入れることのできる品物でない、安価で簡単にだれでも手に入る介護用車椅子を作って社会の誰でも簡単に手に入れる事のできる介護用車椅子を提供するのが本発明の目的である。
【発明の効果】
【０００６】本発明を使用することで従来の車椅子のように患者さんを車椅子に縛り付けるような残酷な取り扱いわなくなると確信を持つて居る、本発明は現在、塵として捨てられる自動車のリクライニングシートを再使用する事にした、車のシートなら頑丈さも形状もすべて車のシートに勝るものわないと確信を持って居る、従来の車椅子ではシートが乗らないから車椅子の横巾を広げることで従来の車椅子とリクライニングシートを結合することに成功した、従来の車椅子のように背もたれと腰掛が頂角でなく車のシートはリクライニングで患者さんの体に安らぎのできる発明である。
【発明を実施する為の最良の形態】
【０００７】本発明を使用することで、従来のように患者さんを背もたれに縛り付けて廊下に放置したり、散歩につれて歩くにも患者さんの体を背もたれに縛り付けて歩く、このような患者さんわ自分で体を支えることもできず、体は車にぐったりと、しなだれ、すべて貴方まかせで自分で体を支えることのできない、このような患者さんをゆとりのある姿勢で心豊に散歩を楽しんでもらいたい為に本発明は車のシートのように気分と体力に合わせて姿勢を変えてあげることができる、これで高級なベツトやシートと同じ能力のシートが出来るのである。頑丈でまた姿も機能も他に類のない、特にリクライニングシートこの優れたシートである、患者さんはゆったりとした姿勢で散歩ができる休息もできる。患者さんも歓び社会も廃品の再利用で環境にも優しく最高でまた、製作も従来の車椅子にリクライニングシートを取り付けるだけである、誰でも製作できる優れた発明である。
【実施例１】
【０００８】図面２は本発明の完成図である、符号５は車椅子の巾を支える交差パイプで符号６は交差パイプで巾を固定する支点である、符号４はシートを固定するパイプであるこのようにして図面２は車椅子の巾を広げ車のリクライニングシートを固定した図で極楽車椅子の完成図で有る。
【実施例２】
【０００９】本発明のリクライニングシートの車椅子で高級なソファーなみの寝心地、掛け心地とも満点である、車のシートは車の運転手があの姿勢で長時間に渡り運転が出来るのは形態が優れてをるからである。
【産業上の利用可能性】
【００１０】本発明は従来の車椅子が必要とされておる現在高級なソファーに等しい掛け心地、寝心地ともに最高であれば現在車椅子を必要としておる方が有るかぎり求められるわ必定と思はれる、本発明の車椅子は自動車のシートで塵として邪魔者の再利用であるから低価格で必要とされる方のお手元に届くのである以上の説明のように使う人が使いやすく安価で入手出切るなら、社会で歓び求められるは必定である。
【図面の簡単な説明】
【００１１】
【図面１】
従来の車椅子の斜視図である
【図面２】
本発明のリクライニング、シートを車椅子にセットした斜視図である。
【図面３】
本発明の車椅子を裏返し底面を説明するための底面の斜視図面である。
【符号の説明】
【００１２】  １は従来の車椅子の背もたれである。  ２は従来の車椅子の腰掛け（座）の部分である。  ３は従来の車椅子にセットされたリクライニングシートである。  ４はリクライニングシートを支えるパイプである。  ５は車椅子の左右（巾）の安定を保つ為の交差パイプである。  ６は交差パイプのセンターである。
【図１】
0003102712.tif 000003
【図２】
0003102712.tif 000004
【図３】
0003102712.tif 000005
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
車椅子に自動車のリクライニングシートを結合した車椅子。
0003102712.tif 000006
0003102712.tif 000007
0003102712.tif 000008
0003102712.tif 000009
【手続補正書】
【提出日】平成16年3月9日(2004.3.9)
【手続補正２】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
車椅子に自動車のリクライニングシートを結合した車椅子。
【手続補正３】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【考案の詳細な説明】
【技術分野】
【０００１】  本考案は、障害者が昨日まで愛用した介護用車椅子にリクライニングシート（以後シートと言う）を結合した車椅子、シートは車種によってシートと車体との取り付け形態が異なるためにいろいろ形の異なる部品を持って車椅子と平行に結合したことを特徴とする介護用車椅子である。
【背景技術】
【０００２】  従来の車椅子は機能本位に製作されてをる、従来の日本家屋では部屋ごとに段差があり廊下も狭いために車椅子の回転巾を小さく考案製作されてをる真に優れた車椅子である、図１は従来の車椅子で１，２は只の布性のシートであるから患者さんが、滑り落ちる危険性がある、滑り落ちる危険性を防ぐ事の出来る本考案である現在の日本家屋はかなり開放的で廊下も広くなった、部屋の入り口も広くなった、で考案の車椅子も使うことが出来るようになった。
【考案の開示】
【考案が解決しようとする課題】
【０００３】  図１は従来の車椅子である、従来の車椅子は腰掛け部分２と背凭れ部分１が垂直で患者さんが滑り落ちる憂いがある、病院の廊下でよく見る光景で患者さんが車椅子の背凭れに紐でくくり付けてある姿を見かける、これは患者さんが車椅子から滑りを落ちる危険防止のために患者さんをくくりつけて置くのだそうである。
【課題を解決するための手段】
【０００４】  考案は患者さんに、ゆとりと安らぎのある憩いの場所をさし上げる為に考案したものである考案の車のシートは頑丈で姿のデザインもさすが車の備品である、座り心地、寝心地ともにさすがである、あの車の運転手さんが長時間にはたり同じ姿勢で緊張が続けられるのも優れたデザインの優れたシートであるからである。
【考案の効果】
【０００５】  考案は身体に障害のある患者さんに安らぎのある車椅子を、お送りする事を目的に考案したものである、従来の車椅子は、身体にまだゆとりのある、お年を召した方々の移動の手段として使うものである。
最近病院の廊下で車椅子の背凭れに紐でくくりつけてある姿を見る、これは患者さんが滑り落ちる為に危険防止のやも得ない行為であるとかである、ならば落ちない車椅子を考案製作すればよい。
【考案を実施するための最良の形態】
【０００６】  考案は身体に障害のある方々に憩いと安らぎのある生活を堤供する事を目的に考案したものである、廃車のシートを再使用すれば従来の車椅子のように背凭れと腰掛が直角でなくリクライニングするシートで、しつかりと包み込むようなシートである、患者さんを背凭れにくくり付けなくても、転落の危険はなくなる、図３で説明する、図３はシートの裏面である、裏面５に６と７を井桁に組みシートの裏面５の車の取り付け穴８に６と７を取り付け穴８にボルトで締め付ける、９の中央部に６の両先端を溶接又はボルトで固定する。
【実施例】
【０００７】  考案が採用するシートは使用済廃棄物である、その使用済み自動車の部品の一部を再生転用できる、高機能を備えたシートで又スタイルも抜群でこのような優れたシートの車椅子に再利用できることは現在の高齢化社会に送り出し社会に貢献出来る事を喜びとする。
【産業上の利用可能性】
【０００８】  本考案は本来の任務を終わり、ご苦労さんと言うべき自動車のシートにもう一度高齢者や身体不自由な障害者の皆さんの為に働いていただきます。
車のシートは業廃棄物として廃棄処分されるべき運命のところを現在の高齢者社会は、体の不自由な身体障害者も多くなる現在廃車のシートを従来の車椅子に乗せ、現高齢化社会に貢献出来る事を満足にを思う者である。
【図面の簡単な説明】
【０００９】
【図１】          従来の車椅子の斜視図である。
【図２】          極楽椅子の完成図の斜視図である。
【図３】          シートの裏面に車椅子を取り付けようとする部品の配置図。
【符号の説明】
【００１０】１            従来の車椅子の背凭れ部分
２            従来の車椅子の腰掛部分
３            考案のリクライニングシートの背凭れ部分
４            車椅子にシートを固定するパイプである
５            車椅子の巾を固定を固定する交差パイプである